(57)【要約】    【課題】  皮脂等からなる湯垢を効果的に吸着し又は取り込み易く、水切れがよく、乾燥し易い水浮遊性物質除去具の提供。    【解決手段】  ポリプロピレンスプリットヤーンとポリプロピレンモノフィラメント糸Ｙのフレンジ加工品Ｆと芯材Ｃと結束バンドと吊紐Ｓからなる。フレンジ加工品Ｆは、一定長さのスプリットヤーンＹ等が多数並列したものを中間部において縫い合わせたものである。円環状の芯材Ｃにおける鍔状張出部Ｃ１・Ｃ２間の断面弓形溝状をなす外周部Ｃ３に、フレンジ加工品ＦのスプリットヤーンＹ等が縫い合わされた中間部が外周部Ｃ３の中央部に位置するようにして多重巻回し、巻回したフレンジ加工品Ｆの外周の中間部を結束バンドで結束することにより芯材Ｃにフレンジ加工品Ｆを保持させる。【選択図】      図４
2015123100.tif 000002
【特許請求の範囲】
【請求項１】
親油性ポリマーからなる多数の糸条体であって全てがスプリットヤーンであるかスプリットヤーンを多数含むものが、それらの基部において保持されると共に基部に向かって密度を増すように設けられ、
水に浮き、水に浮いた状態で前記糸条体の少なくとも一部は水面付近および／または水中に位置する水浮遊性物質除去具。
【請求項２】
水に浮いた状態で上記多数の糸条体の少なくとも一部が水面付近に位置する請求項１記載の水浮遊性物質除去具。
【請求項３】
水に浮いた状態で、水面付近において、上記多数の糸条体が水面に沿うように端部から基部に向かって密度を増す請求項２に記載の水浮遊性物質除去具。
【請求項４】
水に浮いた状態で、上記糸条体のうち水面付近に位置するものが経時的に入れ替わる請求項２又は３記載の水浮遊性物質除去具。
【請求項５】
水に浮いた状態でその水を漸次吸水して喫水が経時的に増大することに伴い、前記糸条体のうち水面付近に位置するものが経時的に入れ替わる請求項４記載の水浮遊性物質除去具。
【請求項６】
上記親油性ポリマーからなる多数の糸条体が、スプリットヤーンと、そのスプリットヤーンよりも細い非スプリットヤーン糸条体からなる請求項１乃至５の何れか１項に記載の水浮遊性物質除去具。
【請求項７】
貫通部を有する請求項１乃至６の何れか１項に記載の水浮遊性物質除去具。
【請求項８】
芯材に貫通部を有し、前記芯材に上記糸条体の基部が直接保持され又は上記糸条体の基部が保持されたものが保持された請求項７記載の水浮遊性物質除去具。
【発明の詳細な説明】
【技術分野】
【０００１】
本発明は、浴槽内の湯の湯垢等の水浮遊性物質を吸着し又は取り込んで湯や水から除去するために、湯や水に浮いた状態で使用する水浮遊性物質除去具に関する。
【背景技術】
【０００２】
特許第４５９９３３２号公報には、
「親油性繊維材からなる所望形状の中芯材と、その中芯材を包皮する比重１以下の親油性繊維でタック編またはメッシュ編みした表示面の施された外被布とからなる浴槽の浮遊物を吸着する吸着具であって、前記外被布の底部を比重１以上の親油性繊維で平編にし、その底部重量を、吸着具総重量の１／６〜１／７にし、外被布に施された表示面が湯面に伏せたり水中に沈んだりしない正常な状態で浮くように構成したことをと特徴とする浴槽浮遊物吸着具」
の発明が記載されている。
【０００３】
この発明によれば、
「製品出来上がり時の底部分を除いて比重１以下の親油性繊維でタック編またはメッシュ編にし、底部部分を比重１以上の親油性繊維で平編し、吸着具全体の総重量の１／６〜１／７にすることにより、重量のバランスがとれて外被布に施された表示面が湯面に伏せたり水中に沈んだりしない正常な状態で浮くことになり、吸着具本体の全体が親油性の繊維で形成されているから、浴槽に浮かべておくだけで皮脂、湯垢、毛髪などの浮遊物を吸着できる。特に体内から分泌される汗や皮脂などの油脂成分や臭気成分を効率的に吸着して浄化するため、後から入浴する人がきれいな湯に入ることができる。また、浮遊する皮脂、湯垢などを積極的に吸着するので、浴槽の内壁面に付着して汚すのが少なくなり清掃が簡単にできると共に、洗濯水としても充分に使うことができる。」
等の効果を奏するものとされている。
【０００４】
しかしながら、親油性繊維材からなる所望形状の中芯材を外被布で包皮したものであるため、外被布で包皮された中芯材、特に内方部の中芯材は、湯垢等の吸着に有効に機能しにくく、また、使用後の乾燥が容易でないため、衛生上改善の余地が見受けられるものであった。
【先行技術文献】
【特許文献】
【０００５】
【特許文献１】特許第４５９９３３２号公報
【発明の概要】
【発明が解決しようとする課題】
【０００６】
本発明は、従来技術における上記のような課題に鑑みて行われたものであり、その目的とするところは、皮脂等からなる湯垢等の水浮遊性物質を吸着し又は取り込み易く、水切れがよく、乾燥し易い水浮遊性物質除去具を提供することにある。
【課題を解決するための手段】
【０００７】
本発明の水浮遊性物質除去具は、次のように表すことができる。
【０００８】
(1) 親油性ポリマーからなる多数の糸条体であって全てがスプリットヤーンであるかスプリットヤーンを多数含むものが、それらの基部において保持されると共に基部に向かって密度を増すように設けられ、
水に浮き、水に浮いた状態で前記糸条体の少なくとも一部は水面付近および／または水中に位置する水浮遊性物質除去具。
【０００９】
浴槽等のお湯や水に浮かべて使用した場合、親油性ポリマーからなる多数の糸条体の少なくとも一部は水面付近および／または水中に位置する。
【００１０】
それらの糸条体は、親油性ポリマーからなるものであるため、皮脂等からなる湯垢等を吸着し易く、それらの糸条体の全てであるか又はそれらの糸条体に含まれるスプリットヤーンは、親油性ポリマーからなるものであると共に、切れ目を多数有するので、皮脂等からなる湯垢等の水浮遊性物質を吸着し又は取り込み易く離脱させにくい。
【００１１】
而も、糸条体が基部に向かって密度を増すように設けられているため、皮脂等からなる湯垢等の水浮遊性物質が糸条体の基部側に向かって効果的に取り込まれることとなり易い。
【００１２】
従って、皮脂等からなる湯垢等の水浮遊性物質を湯や水から効果的に除去することが可能である。
【００１３】
更に、親油性ポリマーからなる多数の糸条体が、それらの基部において保持されているため、水切れがよく、乾燥し易い。
【００１４】
(2) 水に浮いた状態で上記多数の糸条体の少なくとも一部が水面付近に位置する(1)記載の水浮遊性物質除去具。
【００１５】
この場合、水に浮いた状態で水面付近に位置する親油性ポリマーからなる多数の糸条体であって全てがスプリットヤーンであるかスプリットヤーンを含むものに、湯垢等の水浮遊性物質が吸着又は取り込まれて湯や水から除去されることとなり易い。
【００１６】
而も、水に浮いた状態で水面付近に位置する親油性ポリマーからなる多数の糸条体が、基部に向かって密度を増すように設けられているので、皮脂等からなる湯垢等の水浮遊性物質が、より効果的にスプリットヤーンの基部側に向かって吸着又は取り込まれて湯や水から除去されることとなり易い。
【００１７】
(3) 水に浮いた状態で、水面付近において、上記多数の糸条体が水面に沿うように端部から基部に向かって密度を増す(2)記載の水浮遊性物質除去具。
【００１８】
水に浮いた状態で、水面付近において、上記多数の糸条体が水面に沿うように端部から基部に向かって密度を増すので、皮脂等からなる湯垢等の水浮遊性物質が一層効果的に親油性ポリマーからなる多数の糸条体の基部に向かって吸着又は取り込まれて湯や水から除去されることとなり易い。
【００１９】
(4) 水に浮いた状態で、上記糸条体のうち水面付近に位置するものが経時的に入れ替わる(2)又は(3)記載の水浮遊性物質除去具。
【００２０】
この場合、多数の糸条体のうち水面付近に位置することにより皮脂等からなる湯垢等の水浮遊性物質を吸着し又は取り込む糸条体が経時的に入れ替わるので、経時的に水面付近に位置し得る糸条体が、順次、水浮遊性物質の吸着又は取り込みに用いられて可及的に多量の水浮遊性物質が効率良く湯や水から除去され得る。
【００２１】
(5) 水に浮いた状態でその水を漸次吸水して喫水が経時的に増大することに伴い、前記糸条体のうち水面付近に位置するものが経時的に入れ替わる(4)記載の水浮遊性物質除去具。
【００２２】
水に浮いた状態でその水を漸次吸水して沈降することにより喫水が経時的に増大し、糸条体のうち水面付近に位置するものが経時的に入れ替わり、可及的に多量の水浮遊性物質が効率良く湯や水から除去され得る。
【００２３】
(6) 上記親油性ポリマーからなる多数の糸条体が、スプリットヤーンと、そのスプリットヤーンよりも細い非スプリットヤーン糸条体からなる(1)乃至(5)の何れかに記載の水浮遊性物質除去具。
【００２４】
上記多数の糸条体が、スプリットヤーンと非スプリットヤーン糸条体からなり、非スプリットヤーン糸条体はスプリットヤーンよりも細いため、より細かいものを含めて効果的に湯垢等の水浮遊性物質を吸着し又は取り込むことができる。
【００２５】
(7) 貫通部を有する(1)乃至(6)の何れかに記載の水浮遊性物質除去具。
【００２６】
貫通部を有するため、水が保留されにくく、絞った場合に貫通部を通じて水が切れるので脱水し易い。洗浄及び脱水も行い易い。
【００２７】
(8) 芯材に貫通部を有し、前記芯材に上記糸条体の基部が直接保持され又は上記糸条体の基部が保持されたものが保持された(7)記載の水浮遊性物質除去具。
【００２８】
芯材に貫通部を有するため、水が保留されにくく、絞った場合に貫通部を通じて水が切れるので脱水し易い。洗浄も行い易い。
【発明の効果】
【００２９】
本発明の水浮遊性物質除去具を浴槽等のお湯や水に浮かべて使用した場合、親油性ポリマーからなる多数の糸条体の少なくとも一部が水面付近および／または水中に位置し、それらの糸条体は、親油性ポリマーからなるものであるため、皮脂等からなる湯垢等を吸着し易く、それらの糸条体の全てであるか又はそれらの糸条体に含まれるスプリットヤーンは、親油性ポリマーからなるものであると共に、切れ目を多数有するので、皮脂等からなる湯垢等の水浮遊性物質を吸着し又は取り込み易く離脱させにくい。
【００３０】
而も、糸条体が基部に向かって密度を増すように設けられているため、皮脂等からなる湯垢等の水浮遊性物質が糸条体の基部側に向かって効果的に取り込まれることとなり易い。
【００３１】
従って、皮脂等からなる湯垢等の水浮遊性物質を湯や水から効果的に除去することが可能である。
【００３２】
更に、親油性ポリマーからなる多数の糸条体が、それらの基部において保持されているため、水切れがよく、乾燥し易い。
【図面の簡単な説明】
【００３３】
【図１】水浮遊性物質除去具の正面図である。
【図２】水浮遊性物質除去具の側面図である。
【図３】水浮遊性物質除去具の背面図である。
【図４】水浮遊性物質除去具の内部構造を示す斜視図である。
【図５】フレンジ加工品の正面図である。
【図６】芯材の斜視図である。
【図７】別の水浮遊性物質除去具の斜視図である。
【図８】ループフレンジ加工品の要部正面図である。
【図９】別の芯材の斜視図である。
【図１０】別の水浮遊性物質除去具の浮遊状態を示す図である。
【図１１】別の水浮遊性物質除去具の浮遊状態を示す図である。
【図１２】別の水浮遊性物質除去具の浮遊状態を示す図である。
【発明を実施するための形態】
【００３４】
[1] 本発明の実施の形態を、図面を参照しつつ説明する。
【００３５】
図１乃至図６は何れも本発明の水浮遊性物質除去具の実施の形態の一例についてのものである。
【００３６】
この水浮遊性物質除去具Ａは、ポリプロピレンスプリットヤーンＹとポリプロピレンモノフィラメント糸Ｙ（図１乃至図５においては両者を区別しない）のフレンジ加工品Ｆと芯材Ｃと結束バンド（図示を略す）と吊紐Ｓからなる。
【００３７】
フレンジ加工品Ｆは、一定長さの２３５０ｄＴｅｘのポリプロピレンスプリットヤーンＹと８９０ｄＴｅｘのポリプロピレンモノフィラメント糸Ｙを所定の比率で満遍なく混合したものが多数一定方向に並列したもの（複数層のスプリットヤーンＹ等が並列したもの）が、各スプリットヤーンＹ等の中間部において、直接縫い合わせされてそれらの並列スプリットヤーンＹ等が連結したものである。
【００３８】
芯材Ｃは、軸線方向に貫通部Ｃａを有し、軸線方向両側に鍔状張出部Ｃ１・Ｃ２を有するポリプロピレン製の円環状体であって、鍔状張出部Ｃ１・Ｃ２間の外周部Ｃ３が断面弓形溝状をなし、同外周部Ｃ３には、周方向間隔おきに滑り止め用の小突起Ｃ４が設けられている。
【００３９】
また、芯材Ｃの一方の鍔状張出部Ｃ１における同一直径上の両端部には、それぞれ、軸線方向外方に突起する棒状突起部Ｃ５が設けられている。
【００４０】
更に、芯材Ｃの内周部である貫通部Ｃａには、吊紐Ｓを挿通するための環部（図示を略す）が設けられている。
【００４１】
芯材Ｃにおける鍔状張出部Ｃ１・Ｃ２間の断面弓形溝状をなす外周部Ｃ３には、フレンジ加工品ＦのポリプロピレンスプリットヤーンＹとポリプロピレンモノフィラメント糸Ｙが縫い合わされた中間部が外周部Ｃ３の中央部（溝底部）に位置するようにして多重巻回され、巻回されたフレンジ加工品Ｆの外周の中間部が結束バンドで結束されることにより芯材Ｃにフレンジ加工品Ｆが保持されている。
【００４２】
これにより、ポリプロピレンスプリットヤーンＹとポリプロピレンモノフィラメント糸Ｙが、それらの基部（縫い合わされた中間部）において芯材Ｃに保持され、それらのスプリットヤーン及びモノフィラメントＹは、所定の比率で満遍なく混合した状態で放射状をなし、基部に向かって密度（本数の密度）を増す。
【００４３】
このようにして芯材Ｃに保持された多数のスプリットヤーン及びモノフィラメントＹの先端部は、球面をやや扁平にした形状にほぼ沿うように位置する。はみ出すものは適宜切断してよい。
【００４４】
なお、使用及び洗浄後の乾燥時に吊り下げるための吊紐Ｓが前記環部に取り付けられている。
【００４５】
この水浮遊性物質除去具Ａは、材料全ての比重が水より小さく、芯材Ｃの軸線方向（図２の左右方向）が上下方向となる姿勢で水に浮くものであり、水に浮いた状態において、スプリットヤーン及びモノフィラメントＹの一部は水面付近に位置する。
【００４６】
それらのスプリットヤーン及びモノフィラメントＹは、親油性ポリマーからなるものであるため、皮脂等からなる湯垢等を吸着し易く、スプリットヤーンＹは、親油性ポリマーからなるものであると共に、切れ目を多数有するので、皮脂等からなる湯垢等の水浮遊性物質を吸着し又は取り込み易く離脱させにくい。
【００４７】
而も、スプリットヤーンＹ及びモノフィラメントＹが基部に向かって密度を増すように密設され、特にモノフィラメントＹはスプリットヤーンＹよりも細いため、皮脂等からなる湯垢等の水浮遊性物質が、より細かいものを含めて、スプリットヤーンＹ及びモノフィラメントＹの基部側に向かって効果的に取り込まれることとなり易い。
【００４８】
更に、水浮遊性物質除去具Ａは、芯材Ｃの軸線方向が上下方向となる姿勢で水に浮いた状態において、水中の又は水面に臨むスプリットヤーンＹ及びモノフィラメントＹがその水を漸次吸水して沈降することにより喫水が経時的に増大し、スプリットヤーンＹ及びモノフィラメントＹのうち水面付近に位置するものが経時的に入れ替わり、可及的に多量の水浮遊性物質が効率良く湯や水から除去され得る。
【００４９】
従って、皮脂等からなる湯垢等の水浮遊性物質を湯や水から効果的に除去することができる。
【００５０】
また、親油性ポリマーからなる多数のスプリットヤーン及びモノフィラメントＹが、それらの基部において保持されているため、水切れがよく、乾燥し易い。
【００５１】
また、芯材Ｃが円環状体であって貫通部Ｃａを有するため、水が保留されにくく、絞った場合に貫通部Ｃａを通じて水が切れるので脱水し易い。洗浄及び脱水も行い易い。
【００５２】
図７乃至図１２は、本発明の水浮遊性物質除去具の実施の形態の別の例についてのものである。
【００５３】
この水浮遊性物質除去具Ｂは、ポリプロピレンスプリットヤーンＸのループフレンジ加工品Ｒ、芯材Ｄ、結束バンド（図示を略す）、吊紐Ｓ及び葉状体Ｌからなる。
【００５４】
ループフレンジ加工品Ｒは、ポリプロピレンスプリットヤーンＸをループ状にして多数一定方向に並列したものを、中間部において縫合したものであり、取り扱いの便宜上、芯材Ｄに保持させるまで仕付け糸Ｔにより両端部を縫合している。
【００５５】
芯材Ｄは、棒状突起部Ｃ５を有しないこと以外は芯材Ｃと同様の構成であり、軸線方向の貫通部Ｄａを有する円環状をなす。
【００５６】
芯材Ｄの一対の鍔状張出部Ｄ１・Ｄ２間の、断面弓形溝状をなし周方向間隔おきに滑り止め用の小突起Ｄ４が設けられた外周部Ｄ３に、ループフレンジ加工品Ｒの縫合された中間部が外周部の中央部（溝底部）に位置するようにして多重巻回され、巻回されたループフレンジ加工品Ｒの外周の中間部が結束バンドで結束されることにより芯材Ｄにループフレンジ加工品Ｒが保持され、その後、ループフレンジ加工品Ｒから仕付け糸Ｔが取り外されている。
【００５７】
得られた水浮遊性物質除去具Ｂにおいては、ループ状のポリプロピレンスプリットヤーンＸが、それらの基部（縫合された中間部）において芯材Ｄに保持され、それらのループ状のスプリットヤーンＸは、放射状をなし、基部に向かって密度（本数の密度）を増す。
【００５８】
芯材Ｄの内周部である貫通部Ｄａに設けられた環部Ｄ５に挿通されて取り付けられた吊紐Ｓには、更に葉状体Ｌの挿通孔Ｌ１が挿通されて葉状体Ｌが取り付けられている。
【００５９】
水浮遊性物質除去具Ｂは、図１０乃至図１２に示されるように、芯材Ｄの貫通部Ｄａの軸線方向が上下方向となる姿勢で水Ｗに浮く。
【００６０】
乾燥状態の水浮遊性物質除去具Ｂは、図１０に示されるように喫水（水面Ｗｓより下の部分）が全体の４分の１程度であるが、多数のポリプロピレンスプリットヤーンＸのうち、水中のものや水に臨むもの同士の間に徐々に吸水されることにより、図１１に示されるように喫水は２分の１程度となり、更に吸水されて図１２に示されるように喫水が９割近くとなる。但し、水よりも比重が小さい水浮遊性物質除去具Ｂ全体（特にポリプロピレンスプリットヤーンＸ）が水没することはない。
【００６１】
ポリプロピレンスプリットヤーンＸは、親油性ポリマーからなるものであると共に、切れ目を多数有するので、皮脂等からなる湯垢等の水浮遊性物質を吸着し又は取り込み易く離脱させにくい。
【００６２】
而も、ポリプロピレンスプリットヤーンＸが基部に向かって密度を増すように密設されているため、皮脂等からなる湯垢等の水浮遊性物質が、ポリプロピレンスプリットヤーンＸの基部側に向かって効果的に取り込まれることとなり易い。
【００６３】
更に、水浮遊性物質除去具Ｂが水に浮いた状態でその水を漸次吸水して喫水が経時的に増大する（すなわち沈降する）ことに伴い、ポリプロピレンスプリットヤーンＸのうち水面付近に位置するものが経時的に入れ替わるので、可及的に多量の水浮遊性物質が効率良く湯や水から除去され得る。
【００６４】
従って、皮脂等からなる湯垢等の水浮遊性物質を湯や水から効果的に除去することができる。
【００６５】
また、親油性ポリマーからなる多数のポリプロピレンスプリットヤーンＸが、それらの基部において保持されているため、水切れがよく、乾燥し易い。
【００６６】
また、芯材Ｄが円環状体であって貫通部Ｄａを有するため、水が保留されにくく、絞った場合に貫通部Ｄａを通じて水が切れるので脱水し易い。洗浄及び脱水も行い易い。
【００６７】
[2] 本発明の実施の形態を、上記以外の形態を含めて更に説明する。
【００６８】
(1) 本発明の水浮遊性物質除去具は、親油性ポリマーからなる多数の糸条体であって全てがスプリットヤーンであるもの、又は、親油性ポリマーからなるスプリットヤーンを多数、好ましくは満遍なく、含むもの（例えば、親油性ポリマーからなる多数のスプリットヤーンと、親油性ポリマーからなる多数の非スプリットヤーン糸条体が混合したもの）が、それらの基部において保持されると共に基部に向かって密度を増すように設けられ、
水に浮き、水に浮いた状態で前記糸条体の少なくとも一部は水面付近および／または水中に位置するものである。
【００６９】
尤も、本発明の効果を発揮し得る限り、親油性ポリマーからなる糸条体以外の糸条体又はその他の材料からなる物を含むものであることを妨げない。
【００７０】
(2) 親油性ポリマーとしては、好適な例としてポリプロピレンを挙げることができるが、ポリエチレン又はその他の親油性ポリマーを用いることもできる。
【００７１】
(3) スプリットヤーン（スプリット糸）は、一軸延伸フィルムに縦方向の切れ目（スリット）が多数形成されることにより、幅方向（フィルムの送り方向に直交する方向）に拡げたときに網状となる糸状体、又はこれに類するものとすることができる。
【００７２】
前記スプリットヤーンとしては、例えばポリプロピレンやポリエチレン等の合成樹脂製のフィルムから得られるものを用いることができる。
【００７３】
前記スプリットヤーンは、例えば５００乃至５０００ｄＴｅｘとすることができる。好適には１０００乃至３０００ｄＴＸ、例えば２０００ｄＴｅｘである。また本発明におけるスプリットヤーンとしては、例えばスリット幅が０．４乃至０．７ｍｍのものを用いることができる。
【００７４】
(4) 親油性ポリマーからなる非スプリットヤーン糸条体、すなわち糸条体であってスプリットヤーンではないものとしては、例えば、ポリプロピレンモノフィラメント、ポリエステルモノフィラメント等の合成繊維モノフィラメントを用いることができる。２種以上を用いることもできる。
【００７５】
親油性ポリマーからなる多数のスプリットヤーンと、親油性ポリマーからなる多数の非スプリットヤーン糸条体とを混合したものとしては、例えば、両者を偏りなく混合したものとすることができるが、これに限るものではない。
【００７６】
非スプリットヤーン糸条体は、スプリットヤーンよりも細いものとすることが好ましい。例えば、１００乃至１５００ｄＴｅｘとすることができる。
【００７７】
(5) 親油性ポリマーからなる多数の糸条体であって全てがスプリットヤーンであるもの、又は、親油性ポリマーからなるスプリットヤーンを多数、好ましくは満遍なく、含むもの（例えば、親油性ポリマーからなる多数のスプリットヤーンと、親油性ポリマーからなる多数の非スプリットヤーン糸条体が混合したもの）は、基部に向かって密度を増すように密設されているものとすることができる。
【００７８】
親油性ポリマーからなる糸条体の形態としては、例えば、先端部がループ状であるものや、先端部が自由端であるものとすることができる。また、スプリットヤーン又は非スプリットヤーン糸条体が例えば所定の長さである場合、そのスプリットヤーン等の一方の端部を基部とし他方の端部を先端部とすることができる他、そのスプリットヤーン等の中間部を基部とし、両端部をそれぞれ先端部とすることもできる。
【００７９】
親油性ポリマーからなる多数の糸条体は、基部に向かって（端部から基部の向きに）密度（すなわち糸状体の本数の密度）を増すように、例えば放射状に、設けられている。
【００８０】
(6) 本発明の水浮遊性物質除去具は、水に浮くものである。すなわち、水浮遊性物質除去具全体として、又は、例えば用いられる材料全てにおいて、比重が水より小さいものであることが好ましい。
【００８１】
水浮遊性物質除去具が水に浮いた状態において、親油性ポリマーからなる多数の糸条体（スプリットヤーン又はスプリットヤーンと非スプリットヤーン糸条体が混合したもの）の少なくとも一部は水面付近および／または水中、すなわち水面付近及び水中の両方又は一方（好ましくは少なくとも水面付近）に位置することにより水浮遊性物質除去作用を確実性高く実現し得るものである。
【００８２】
水に浮いた状態で前記多数の糸条体の少なくとも一部が水面付近に位置する場合、水面付近において、多数の糸条体が水面に沿うように（例えば水面に対し糸条体が０乃至３０度の角度、好ましくは０乃至２０度、より好ましくは０乃至１０度の角度で）端部から基部に向かって密度を増すものとすることができる。
【００８３】
(7) 本発明の水浮遊性物質除去具は、水に浮いた状態で、親油性ポリマーからなる糸条体（スプリットヤーン又はスプリットヤーンと非スプリットヤーン糸条体が混合したもの）のうち水面付近に位置するものが経時的に入れ替わるものとすることができる。
【００８４】
例えば、水に浮いた状態でその水を漸次吸水して喫水（水面下の部分）が経時的に増大する（すなわち沈降する）ことに伴い、前記糸条体のうち水面付近に位置するものが経時的に入れ替わるものとすることができる。
【００８５】
このような吸水の例としては、基部において保持されると共に基部に向かって密度を増すように設けられた（好ましくは密設された）親油性ポリマーからなる糸条体のうち水中のものや水に臨むもの同士の間に徐々に吸水されるものや、水浮遊性物質除去具が親油性ポリマーからなる糸条体以外に吸水性材料を有し、その吸水性材料が徐々に吸水するものを挙げることができる。
【００８６】
水に浮いた状態で、親油性ポリマーからなる糸条体のうち水面付近に位置するものが経時的に入れ替わるものの他の例としては、水浮遊性物質除去具が吸水性材料を有し、その吸水性材料が徐々に吸水することにより、水に浮いた状態の水浮遊性物質除去具の重心や浮力の中心が変化して水浮遊性物質除去具が回動することにより親油性ポリマーからなる糸条体のうち水面付近に位置するものが経時的に入れ替わるものを挙げることができる。
【００８７】
(8) 本発明の水浮遊性物質除去具における親油性ポリマーからなる多数の糸条体の、基部における保持は、例えば、芯材や基布等の保持体に対し糸条体の基部が直接保持され又は糸条体の基部が保持されたものが保持されることにより、或いは、糸条体の基部同士が融着等により互いに保持され又は他の緊締材により保持されることにより実現され得る。
【００８８】
(9) 本発明の水浮遊性物質除去具は、貫通部を１又は複数有するものとすることが好ましい。
【００８９】
このような水浮遊性物質除去具は、例えば、芯材に貫通部を有し、芯材に親油性ポリマーからなる糸条体（スプリットヤーン又はスプリットヤーンと非スプリットヤーン糸条体が例えば所定の比率で好ましくは満遍なく混合したもの）の基部が直接保持され又は親油性ポリマーからなる糸条体の基部が保持されたものが保持されたものとすることができる。
【００９０】
芯材の形態としては、外周部に親油性ポリマーからなる糸条体の基部又は親油性ポリマーからなる糸条体の基部が保持されたものが保持される円環状体又はその他の環状体、軸線方向両側に鍔状張出部を有する円環状体又はその他の環状体であって鍔状張出部間の外周部（例えば鍔状張出部間が断面弓形、半円形又はＵ字形の溝状である外周部）に親油性ポリマーからなる糸条体の基部又は親油性ポリマーからなる糸条体の基部が保持されたものが保持される環状体等を例示することができるが、これらに限るものではない。
【００９１】
芯材は、一定形状を維持し得るものであり、非吸水性であるものが好ましく、例えば、ポリプロピレンやポリエチレン等の合成樹脂等からなるものとすることができる。
【００９２】
芯材に対し親油性ポリマーからなる糸条体の基部が直接保持されたものの例としては、芯材に親油性ポリマーからなる糸条体の基部が固定されたものを挙げることができるが、これに限るものではない。
【００９３】
親油性ポリマーからなる糸条体の基部が保持されたものが芯材に保持されたものの例としては、親油性ポリマーからなる糸条体をフレンジ加工したものや基布に固定したもの等が芯材に保持されたものを挙げることができるが、これらに限るものではない。
【００９４】
親油性ポリマーからなる糸条体をフレンジ加工したものとしては、例えば、一定長さの親油性ポリマーからなる糸条体が多数一定方向に並列したもの（糸条体は一層が並列したものでもよく、複数層の糸条体が並列したものでもよい。）を、各糸条体の端部又は中間部において、直接若しくは細幅布等の別部材を介して縫い合わせることにより又はその他の手段により連結させたものを用いることができる。この場合の糸条体の基部は、並列糸条体が連結した部分である端部又は中間部である。
【００９５】
糸条体をフレンジ加工したフレンジ加工品の、芯材に対する保持は、例えば、フレンジ加工品を芯材に対し巻回し、フレンジ加工品における並列糸条体が連結した部分である中間部又は端部において、結束バンド等の結束材によりそのフレンジ加工品を芯材に対し結束固定することにより行い得る。芯材のうち、フレンジ加工品が巻回される部分には、フレンジ加工品が巻回時に芯材に対し滑るのを防止し得る小突起等の係合部を１又は２以上有するものとすることもできる。
【符号の説明】
【００９６】
Ａ      水浮遊性物質除去具
Ｂ      水浮遊性物質除去具
Ｃ      芯材
Ｃａ    貫通部
Ｃ１    鍔状張出部
Ｃ２    鍔状張出部
Ｃ３    外周部
Ｃ４    小突起
Ｃ５    棒状突起部
Ｄ      芯材
Ｄａ    貫通部
Ｄ１    鍔状張出部
Ｄ２    鍔状張出部
Ｄ３    外周部
Ｄ４    小突起
Ｄ５    環部
Ｆ      フレンジ加工品
Ｌ      葉状体
Ｌ１    挿通孔
Ｒ      ループフレンジ加工品
Ｓ      吊紐
Ｔ      仕付け糸
Ｗ      水
Ｗｓ    水面
Ｘ      スプリットヤーン
Ｙ      スプリットヤーン、モノフィラメント糸
【図１】
2015123100.tif 000003
【図２】
2015123100.tif 000004
【図３】
2015123100.tif 000005
【図４】
2015123100.tif 000006
【図５】
2015123100.tif 000007
【図６】
2015123100.tif 000008
【図７】
2015123100.tif 000009
【図８】
2015123100.tif 000010
【図９】
2015123100.tif 000011
【図１０】
2015123100.tif 000012
【図１１】
2015123100.tif 000013
【図１２】
2015123100.tif 000014